Podtech/llm-jp-corpus-v4-ja_patent huggingface dataset:
(57)【要約】      （修正有）【課題】触覚メディアを用いたマルチメディアアプリケーションにおいて、ネットワーク上でのパケット欠落による品質劣化を回避し、高品質な触覚メディア出力を図る。【解決手段】パケット欠落を検出した時点で欠落したパケットの再送を行うと、大きな遅延を発生させてしまうので、重要なパケットは、あらかじめ複数回送信し、欠落の確率を低減させる。また、複数回送信するパケットを、アプリケーション上での重要度の高いパケットのみに限定することで、ネットワークへの負荷を低減させる。【選択図】  図２
2007221413.tif 000002
【特許請求の範囲】
【請求項１】
触覚メディアを用いたマルチメディアアプリケーションにおいて、アプリケーション上での触覚メディアの重要度に応じて、重要な場合、ネットワーク上でのパケット欠落による品質劣化を回避するため、あらかじめ同一の触覚メディアを複数回送信し、そのパケット欠落の確率を低減させることで高品質な触覚メディア出力を図ることを特徴とする触覚メディア転送方式。
【発明の詳細な説明】
【技術分野】
【０００１】
本発明は、触覚メディアを用いたマルチメディアアプリケーションにおいて、触覚メディアの高品質な転送を行う触覚メディア転送方式に関するものである。
【背景技術】
【０００２】
従来、ネットワークを介したアプリケーションで触覚メディアを扱うと、ネットワーク上でパケット欠落が発生した場合、触覚メディアの欠落、遅延により、アプリケーション上で大きな力が必要になったり、スムースな操作がしづらくなる。これまでのパケット欠落に対する回復技術としては、再送制御、予測制御が検討されている。
【０００３】
この再送制御は、パケット欠落を検出した時点で、欠落したパケットの再送を行う制御である。また、予測制御は、過去の情報（位置、速度）から受信情報を予測し、再び受信が始まった際に予測によって更新した情報が、現在受信した情報と異なるならば徐々に補足していく制御である。
【非特許文献１】Y. Ishibashi, T. Kanbara, T. Hasegawa and S. Tasaka, “Traffic Control of Haptic Media in Networked Virtual Environments,” in Proc. IEEE International Workshop on Knowledge Media Networking, July. 2002.
【発明の開示】
【発明が解決しようとする課題】
【０００４】
しかし、再送制御では、パケット欠落を検出した時点で欠落したパケットの再送を行うため、大きな遅延を発生させてしまい、また、予測制御では、予測がはずれた場合、大きな品質劣化を生じてしまうという問題点を有していた。
【課題を解決するための手段】
【０００５】
パケット欠落を検出した時点で欠落したパケットの再送を行うと、大きな遅延を発生させてしまうので、重要なパケットは、あらかじめ複数回送信し、欠落の確率を低減させる。また、複数回送信するパケットを、アプリケーション上での重要度の高いパケットのみに限定することで、ネットワークへの負荷を低減させる。
【０００６】
前記のような制御を行う本発明によれば、重要度の高い触覚メディアのパケット欠落の確率を低減させることができる。従って、高品質な触覚メディア出力を行うことが可能である。また、複数回送信するパケットを、アプリケーション上での重要度の高いパケットのみに限定することで、ネットワークへの負荷を低減させることも可能である。
【発明の効果】
【０００７】
本発明によれば、アプリケーション上での重要度に応じて触覚メディアを送信するので、高品質なメディア転送を実現することができる。また、重要度の高い触覚メディアのみ複数回送信しているので、ネットワークへの負荷を小さくすることができる。
【発明を実施するための最良の形態】
【０００８】
以下、本発明を具体化した、ネットワークを介した触覚メディアを用いたアプリケーションとして、遠隔描画教示システムを実施例として説明する。
【０００９】
遠隔描画教示システムは，指導者と学習者が力覚をインタラクティブに感じながら，運筆の誘導を可能とするシステムである．遠隔描画教示システムの概要を図１に示す．指導者と学習者の端末には，触覚インタフェース装置として，PHANToM Omni(以下，PAHNToM)が備え付けられている．
指導者は，PHANToMを画筆とみなして，CGで構成された画布の上に図形を描く．指導者と学習者の双方の端末で，互いのPHANToMの仮想空間内での位置情報を送受信する．学習者の端末では，受信した位置情報と学習者PHANToMの位置情報に基づいて，PHANToMに働く力を計算すると同時に，画布の上に図形の描画も行う．このシステムによって，指導者及び学習者の筆運びが双方に伝わる．すなわち，指導者は学習者の力加減を知覚しながら誘導し，学習者は指導者の力加減を知覚しながら描画を行うことができる．
指導者と学習者の端末で実現する機能（図２）は，1)自端末のPHANToMの仮想空間内での位置情報取得，2)その位置情報の相手端末への送信，3)相手PHANToMの仮想空間内での位置情報受信，4)指導者側と学習者側PHANToMの位置情報の差分に基づく力の計算及び提示，5)指導者側と学習者側PHANToMの位置情報に基づいた図形描画，位置の更新である．
本発明では、上記機能2)で、位置情報を相手端末に送信する際に、重要度の高い位置情報は、複数回送信する。なお、重要度は、描画する図形に応じて、例えば、図３のように大きな方向転換（方向が９０度以上転換）を伴う部分の位置情報とすることができる。
【００１０】
その他の実施の形態として、図２の機能3)で相手PHANToMの仮想空間内での位置情報を受信した際に、パケット欠落を検出した時点で、送信側に再送を要求する方法（再送制御）がある。または、過去の情報から受信情報を予測する方法（予測制御）がある。
【図面の簡単な説明】
【００１１】
【図１】ネットワークを介した触覚メディアを用いたアプリケーションの例として、遠隔描画教示システムを示す説明図である。
【図２】遠隔描画教示システムで実現される機能を示す説明図である。
【図３】複数回送信する重要な触覚メディアの判定方法の例を示す説明図である。
【図２】
2007221413.tif 000003
【図１】
2007221413.tif 000004
【図３】
2007221413.tif 000005
(57)【要約】      （修正有）【課題】ネットワーク負荷に応じて振舞いを変更し、ファイルの一部をプローブパケットとすることによって、高効率なファイル送信ができ、かつネットワーク負荷測定を実現するネットワーク負荷測定方式を提供する。【解決手段】送信するファイルの一部をプローブパケットとすることにより、有効なトラヒックとして活用し、そのプローブパケットのサイズを極力小さくし、かつ、送信するプローブパケット数をネットワーク負荷に応じて増減させることにより、その時点での他のトラヒックに対する影響を軽減させる。また、測定が必要な時だけ、本プローブパケットを送信することにより、必要な時にネットワーク負荷を測定することができる。【選択図】図１
2007221414.tif 000002
【特許請求の範囲】
【請求項１】
通信網におけるネットワーク回線の使用可能な帯域を測定するネットワーク負荷測定方式において、送信するファイル等を分割し、その一部をプローブパケットとして送信し、その送信結果から得られる品質情報をもとに、ネットワーク負荷を推定することを特徴とするネットワーク負荷測定方式。
【請求項２】
請求項１に記載のネットワーク負荷測定方式であって、送信するファイル等から生成されたプローブパケットの送信個数を、ネットワーク負荷に応じて変更することを特徴とするネットワーク負荷測定方式。
【請求項３】
請求項１、２に記載のネットワーク負荷測定方式であって、プローブパケットの送信結果から得られるネットワーク遅延揺らぎの品質情報をもとに、あらかじめ対応付けられた関係式から使用可能帯域を推定することを特徴とするネットワーク負荷測定方法。
【発明の詳細な説明】
【技術分野】
【０００１】
本発明は、視覚、聴覚、触覚メディア等の情報ファイルを送信するマルチメディア通信において、その送信を行う通信網におけるネットワーク負荷測定方式に関するものである。
【背景技術】
【０００２】
従来のネットワーク負荷測定方式は、アクティブ測定方式とパッシブ測定方式である。
アクティブ測定方式は、測定対象システムに測定を目的としたプローブパケットを加えて測定する方式である。また、パッシブ測定方式は、測定対象システムに測定を目的としたパケットを加えず、流れてくるパケットのモニタをベースにした測定方式である。
【非特許文献１】住本順一，間瀬憲一，横井忠寛“インターネットの品質・トラヒック管理[II]-IP層の測定項目・測定手段を中心にして-,” 信学会誌，Vol. 82, No. 12, pp. 1256-1263, 1999年 12月.
【発明の開示】
【発明が解決しようとする課題】
【０００３】
従来のアクティブ測定方式は、プローブパケットが多かれ少なかれユーザのトラヒックを圧迫するという問題がある。また、パッシブ測定方式は、測定対象にトラヒックが少ない場合には、十分なサンプルをとることができず、測定できないという問題を有していた。
【０００４】
本発明は、上記従来の実情に鑑みてなされたものであって、ネットワーク負荷に応じて振舞いを変更し、ファイルの一部をプローブパケットとすることによって、高効率なファイル送信ができ、かつネットワーク負荷測定を実現するネットワーク負荷測定方式を提供することを解決すべき課題としている。
【課題を解決するための手段】
【０００５】
従来のアクティブ測定方式では、送信するファイルとは別にプローブパケットを生成していたため、このプローブパケットがユーザトラヒックに圧迫になったり、かつ無駄なトラヒックになっていた。また、従来技術のパッシブ測定方式では、流れてくるパケットをモニタして測定していたため、パケットが流れていない場合は、ネットワーク負荷を測定できなかった。
【０００６】
そこで、送信するファイルの一部をプローブパケットとすることにより、有効なトラヒックとして活用し、そのプローブパケットのサイズを極力小さくし、かつ、送信するプローブパケット数をネットワーク負荷に応じて増減させることにより、その時点での他のトラヒックに対する影響を軽減させる。また、測定が必要な時だけ、本プローブパケットを送信することにより、必要な時にネットワーク負荷を測定することができる。
【０００７】
第１発明のネットワーク負荷測定方式は、通信網におけるネットワーク回線の使用可能
な帯域を測定するネットワーク負荷測定方式において、送信するファイル等を分割し、その一部をプローブパケットとして送信し、その送信結果から得られる品質情報をもとに、ネットワーク負荷を推定することを特徴とする。
【０００８】
第２発明のネットワーク負荷測定方式は、第１発明のネットワーク負荷測定方式であって、送信するファイル等から生成されたプローブパケットの送信個数を、ネットワーク負荷に応じて変更することを特徴とする。
【０００９】
第３発明のネットワーク負荷測定方式は、第１、２発明１に記載のネットワーク負荷測定方式であって、プローブパケットの送信結果から得られるネットワーク遅延揺らぎの品質情報をもとに、あらかじめ対応付けられた関係式から使用可能帯域を推定することを特徴とする。
【００１０】
以上のような制御を行う本発明によれば、ネットワーク負荷が軽いときには多くのプローブパケット送信し、ネットワーク負荷が重いときには少量のプローブパケットを送信するので、ネットワーク負荷に適したネットワーク負荷測定方式が用いられることになる。また、送信するファイルの一部をプローブパケットとすることにより、ネットワークに無駄なトラヒックを掛けることはない。
【００１１】
従って、本発明は、前記問題点を解決でき、ネットワーク負荷に応じて振舞いを変更し、ファイルの一部をプローブパケットとすることによって、高効率なファイル送信ができ、かつネットワーク負荷測定を実現するネットワーク負荷測定方式を提供できる。
【発明の効果】
【００１２】
測定に必要なプローブパケット等を発生させる装置が不要である。
【発明を実施するための最良の形態】
【００１３】
送信サーバでは、送信ファイルの一部をプローブパケットとして分割する。ネットワーク負荷を測定するために、定期的にこれらのプローブパケットをクライアントに送信する。前回の測定結果から得られたネットワーク負荷の状況に応じて、次回送信させるプローブパケット数を増減させる。クライアントからの要求に応じて、必要な残りのファイルを送信する。
【００１４】
クライアントでは、送信ファイルの一部から生成されたプローブパケットの受信結果から品質情報として、ネットワーク遅延揺らぎを測定する。この測定値をもとに、次回送信させるプローブパケット数を送信サーバに通知する。また、このネットワーク遅延揺らぎと送信プローブパケット数の関係から、ネットワーク負荷を推定する。推定したネットワーク負荷をもとに、表示切替時間等のリアルタイム性を考慮して、残りのファイルの送信要求時点かどうか判定を行う。
【００１５】
代替技術では、測定用の専用プローブパケットを生成するか、ネットワークを流れているトラヒックを測定する。
【図面の簡単な説明】
【００１６】
【図１】本発明のネットワーク負荷測定方式を示す説明図である。
【図１】
2007221414.tif 000003
(57)【要約】【課題】  半導体レーザとレンズと光ファイバーとを具備した書き込み光源においては該光ファイバーのコア径が４μｍ程度と非常に小さい為、光学装置内の温度が変動した場合に半導体レーザとレンズと光ファイバーとの相対位置関係のずれが生じて光ファイバーを透過できるレーザパワーが変動するという問題がある。【解決手段】  書き込み光源内に温度検出センサを設け、あらかじめ設定された所定の温度になった時に光路切替え装置と光センサと制御装置を動作させて書き込み光源から照射されるレーザ光を所定の光出力に再度設定させる補正制御を実行する。【選択図】  図１
2007038615.tif 000002
【特許請求の範囲】
【請求項１】
半導体レーザ、レンズ、及び光ファイバーとを具備した書き込み光源と、該書き込み光源から照射されるレーザ光で感光体に潜像を書き込む第１の光路と、該第一の光路内に出し入れが可能な光路切替え装置と、該光路切替え装置にて切り替えられた光出力制御用の第２の光路に設けられた光センサと、該光センサの出力から半導体レーザの光出力を制御して書き込み光源から照射されるレーザ光を所定の光出力に安定制御する制御装置とを具備した電子写真装置の光学装置において、前記書き込み光源内に温度検出センサを設け、あらかじめ設定された所定の温度になった時に第２の光路を形成する前記光路切替え装置、前記光センサ、及び前記制御装置を動作させて前記書き込み光源から照射されるレーザ光を所定の光出力に再度設定させる補正制御を実行することを特徴とする電子写真装置の光学装置。
【発明の詳細な説明】
【技術分野】
【０００１】
本発明は、半導体レーザ、レンズ、及び光ファイバーとを具備した書き込み光源と、該書き込み光源から照射されるレーザ光で感光体に潜像を書き込む第１の光路と、該第一の光路内に出し入れが可能な光路切替え装置と、該光路切替え装置にて切り替えられた光出力制御用の第２の光路に設けられた光センサと、該光センサの出力から半導体レーザの光出力を制御して書き込み光源から照射されるレーザ光を所定の光出力に安定制御する制御装置とを具備した電子写真装置の光学装置に関するものである。
【背景技術】
【０００２】
半導体レーザ、レンズ、及び光ファイバーとを具備した書き込み光源と、該書き込み光源から照射されるレーザ光で感光体に潜像を書き込む第１の光路と、該第一の光路内に出し入れが可能な光路切替え装置と、該光路切替え装置にて切り替えられた光出力制御用の第２の光路に設けられた光センサと、該光センサの出力から半導体レーザの光出力を制御して書き込み光源から照射されるレーザ光を所定の光出力に安定制御する制御装置とを具備した電子写真装置の光学装置においては、装置の電源ON時から所定の時間が経過した時点もしくは所定時間の印刷動作を実行した時点で、前記第２の光路を形成する光路切替え装置と前記光センサと前記制御装置を動作させて書き込み光源から照射されるレーザ光を所定の光出力に再度設定させる補正制御を実行していた（特許文献１参照）。
【０００３】
【特許文献１】特開２００３−２１５４８８号公報
【発明の開示】
【発明が解決しようとする課題】
【０００４】
半導体レーザとレンズと光ファイバーとを具備した書き込み光源においては、該光ファイバーのコア径が４μｍ程度と非常に小さい為、光学装置内の温度が変動した場合に半導体レーザ、レンズ、及び光ファイバーとの相対位置関係のずれが生じる。このために光ファイバーを透過できるレーザパワーが変動する。特に半導体レーザから照射されるレーザ光の光軸に垂直な面内では最適な位置から数μｍ程度ずれても、光ファイバー透過後のレーザパワーは１０％程度低下することがある。
【０００５】
解決しようとする問題点は、上記のように温度変化によって発生する光ファイバー透過後のレーザパワーの変動である。
【課題を解決するための手段】
【０００６】
本発明は、半導体レーザ、レンズ、及び光ファイバーとを具備した書き込み光源と、該書き込み光源から照射されるレーザ光で感光体に潜像を書き込む第１の光路と、該第一の光路内に出し入れが可能な光路切替え装置と、該光路切替え装置にて切り替えられた光出力制御用の第２の光路に設けられた光センサと、該光センサの出力から半導体レーザの光出力を制御して書き込み光源から照射されるレーザ光を所定の光出力に安定制御する制御装置とを具備した電子写真装置の光学装置において、前記書き込み光源内に温度検出センサを設け、あらかじめ設定された所定の温度になった時に第２の光路を形成する前記光路切替え装置、前記光センサ、及び前記制御装置を動作させて前記書き込み光源から照射されるレーザ光を所定の光出力に再度設定させる補正制御を実行することを特徴とする。
【発明の効果】
【０００７】
電子写真装置の動作によって書き込み光源の温度が上昇したり変動した場合でも、あらかじめ設定された所定の温度になった時に前記第２の光路を形成する光路切替え装置と前記光センサと前記制御装置を動作させて書き込み光源から照射されるレーザ光を所定の光出力に再度設定させる補正制御を実行するので、常に安定したレーザパワーを感光体に露光し安定した印刷品質を提供できる。
【発明を実施するための最良の形態】
【０００８】
以下本発明を実施例によって説明する。
【０００９】
図１は、本発明の光学装置の模式図である。図１において、半導体レーザ１から発光されたレーザ光６はレンズ２を透過した光ファイバー３に照射される。光ファイバー３を透過したレーザ光６はコリメータレンズ４で平行光束にされて書き込み光源５から照射される。ここで書き込み光源５は、半導体レーザ１、レンズ２、光ファイバー３、及びコリメータレンズ４で構成されている。
【００１０】
書き込み光源５から照射されたレーザ光６は第１の光路１１及びレンズ群８を通過して、図示していない感光体に照射される。光路切替え装置７が第１の光路内に進入して第２の光路１２が形成され、光センサ９でレーザパワーを測定して制御装置１０にてレーザパワーを補正制御する。ここで、温度センサ１３を書き込み光源５内に取りつけて書き込み光源内の温度を測定してレーザパワー補正制御の動作実行可否を決定する。
【図面の簡単な説明】
【００１１】
【図１】本発明の実施例を示した説明図である。
【符号の説明】
【００１２】
１  半導体レーザ
２  レンズ
３  光ファイバー
４  コリメータレンズ
５  書き込み光源
６  レーザ光
７  光路切替え装置
８  レンズ群
９  光センサ
１０  制御装置
１１  第１の光路
１２  第２の光路
１３  温度センサ
【図１】
2007038615.tif 000003
(57)【要約】【課題】  ＲＡＭ、フラッシュＲＯＭ、ＥＥＰＲＯＭを備えた印刷制御装置において、新プログラムをダウンロードした場合に、新プログラムとＥＥＰＲＯＭの整合性が取れずに誤印刷することがあり、その都度、人為的にＥＥＰＲＯＭ初期化処理を実施する必要がある【解決手段】  ＲＡＭ、フラッシュＲＯＭ、ＥＥＰＲＯＭを備えた印刷制御装置において、新プログラムをダウンロードした場合に、ＥＥＰＲＯＭ初期情報領域を比較して、差異が生じた時に、自動的にＥＥＰＲＯＭの初期化を実施して、新プログラムとＥＥＰＲＯＭの整合性を図ることを特徴とする。【選択図】  図２
2007038613.tif 000002
【特許請求の範囲】
【請求項１】
ＲＡＭ、フラッシュＲＯＭ、ＥＥＰＲＯＭを備えた印刷制御装置において、ＥＥＰＲＯＭの初期化判別を実施することを特徴とする印刷制御装置。
【請求項２】
新プログラムをダウンロードした場合に、現プログラムのＥＥＰＲＯＭ初期化情報と、新プログラムの初期化情報を比較して、ＥＥＰＲＯＭの初期化判別を実施することを特徴とする請求項１記載の印刷制御装置。
【発明の詳細な説明】
【技術分野】
【０００１】
本発明は、電気的に消去可能なＥＥＰＲＯＭの初期化を効率よく実施するようにした印刷制御装置に関する。
【背景技術】
【０００２】
新プログラムを一時保管するＲＡＭ、現プログラムを格納するフラッシュＲＯＭ、プログラムの実行に必要な設定値を記憶するＥＥＰＲＯＭを備えた印刷制御装置において、新プログラムのダウンロードを実施後、印刷した場合に、新プログラムとＥＥＰＲＯＭの整合性が取れずに誤印刷することがあるため、その都度、ＥＥＰＲＯＭ初期化を人為的に実施する必要があった。
【０００３】
また、特許文献１のように、ダウンロードしたプログラムと既存プログラムのプログラムバージョンを比較して、新しいと判断した場合に、ＥＥＰＲＯＭを初期化する手法を用いた場合、プログラムのバージョンアップにおいて、必ずしもＥＥＰＲＯＭ初期化の必要は無いのに対して、毎回、ＥＥＰＲＯＭ初期化を実施する事になり、ＥＥＰＲＯＭの書換寿命回数を無駄に消費する事になる。
【特許文献１】特開２００２−１４２２４０号公報
【発明の開示】
【発明が解決しようとする課題】
【０００４】
解決しようとする問題点は、プログラムダウンロード可能な印刷制御装置において、新プログラムをダウンロードして印刷した場合に、新プログラムとＥＥＰＲＯＭの整合性が取れずに誤印刷することがあり、その都度、人為的にＥＥＰＲＯＭ初期化処理を実施する必要がある点である。
【課題を解決するための手段】
【０００５】
本発明は、プログラムダウンロード可能な印刷制御装置において、新プログラムをダウンロードした場合に、現プログラムのＥＥＰＲＯＭ初期化情報と、新プログラムの初期化情報を比較して、ＥＥＰＲＯＭの初期化判別を実施することを最も主要な特徴とする。
【発明の効果】
【０００６】
本発明によれば、プログラムダウンロード可能な印刷制御装置において、新プログラムをダウンロードした場合に、自動的にＥＥＰＲＯＭ初期化判別を実施する為、新プログラムとＥＥＰＲＯＭの整合性が取れずに誤印刷することなく、また、必要のないＥＥＰＲＯＭ初期化を防止すると共に、ＥＥＰＲＯＭの書換寿命回数の消費削減が出来るという利点がある。
【発明を実施するための最良の形態】
【０００７】
新プログラムをダウンロードした場合に、ＥＥＰＲＯＭ初期化判別を実施して、自動的にＥＥＰＲＯＭ初期化を実施することにより、新プログラムとＥＥＰＲＯＭの整合性が取れずに誤印刷することなく、印刷を実施することを実現した。
【実施例】
【０００８】
以下、本発明の実施を図１、図２に基づいて説明する。
【０００９】
図１は本発明の一実施例のブロック図である。図１において、２１は上位装置、２２は印刷制御装置、２３は新プログラムをダウンロードするＲＡＭ、２４は新プログラムのメインプログラム領域、２５は新プログラムのＥＥＰＲＯＭ初期情報領域、２６は現プログラムが格納されているフラッシュＲＯＭ、２７は現プログラムのメインプログラム領域、２８は現プログラムのＥＥＰＲＯＭ初期情報領域、２９はプログラムの実行に必要な設定値を記憶するＥＥＰＲＯＭである。
【００１０】
図２は本発明の一実施例のフローチャートである。図２において、処理１１で、上位装置から、新プログラムをＲＡＭにダウンロードして、処理１２で、現プログラムのＥＥＰＲＯＭ初期情報領域部と、新プログラムのＥＥＰＲＯＭ初期情報領域を比較して、差異が無い場合は、処理１４で新プログラムをＲＡＭからフラッシュＲＯＭにコピーする。差異がある場合は、処理１３でＥＥＰＲＯＭ初期化を実施した後に、処理１４のコピー処理を実施する。
【図面の簡単な説明】
【００１１】
【図１】本発明の一実施例となるブロック図である。
【図２】本発明の一実施例となるのフローチャートである。
【符号の説明】
【００１２】
１１    新プログラムをＲＡＭにダウンロードする手段
１２    新プログラムと現プログラムのＥＥＰＲＯＭ初期情報を比較する手段
１３    ＥＥＰＲＯＭを初期化する手段
１４    新プログラムをＲＡＭからフラッシュＲＯＭにコピーする手段
２１    上位装置
２２    印刷制御装置
２３    ＲＡＭ
２４    ＲＡＭのメインプログラム領域
２５    ＲＡＭのＲＲＰＲＯＭ初期情報領域
２６    フラッシュＲＯＭ
２７    フラッシュＲＯＭのメインプログラム領域
２８    フラッシュＲＯＭのＲＲＰＲＯＭ初期情報領域
２９    ＥＥＰＲＯＭ
【図１】
2007038613.tif 000003
【図２】
2007038613.tif 000004
(57)【要約】【課題】  スクレーパーとブラシとを一体に構成し、しかも狭い部分を確実に清掃できるようにすることにある。【解決手段】  プレート２の端部の一部を肉薄にして刃部４とすると共に、この刃部４の刃先を、直線７と湾曲線８の連続した形態とし、プレート２の他の一端面にブラシ毛３を植設すると共に、ブラシ毛３群の側端部を、徐々に毛脚の短い形態とする構成で、プレート２の一部に永久磁石１０を付設し、プレート２を、塵取りを兼用する薄皿形状のカバー体１１に嵌め込む構成とする。【選択図】        図１
2007038180.tif 000002
【特許請求の範囲】
【請求項１】
プレート（２）の端部の一部を肉薄にして刃部（４）とすると共に、前記プレート（２）の他の一端面にブラシ毛（３）を植設したことを特徴とするブラシ。
【請求項２】
刃部（４）の刃先を、直線（７）と湾曲線（８）の連続した形態としたことを特徴とする請求項１に記載のブラシ。
【請求項３】
ブラシ毛（３）群の側端部を、徐々に毛脚の短い形態としたことを特徴とする請求項１、２に記載のブラシ。
【請求項４】
プレート（２）の一部に永久磁石（１０）を付設したことを特徴とする請求項１、２、３に記載のブラシ。
【請求項５】
プレート（２）を、塵取りを兼用する薄皿形状のカバー体（１１）に嵌め込むことを特徴とする請求項１、２、３、４に記載のブラシ。
【発明の詳細な説明】
【技術分野】
【０００１】
本発明は、主として厨房用品を清掃するのに使用されるブラシに関する。
【背景技術】
【０００２】
ガスレンジや電子レンジ、オーブントースター等の厨房用品は、調理時の食材の滓や油の飛散等により汚れるものである。従って常に清掃することが欠かせないのであるが、焼け焦げた油汚れをとるのは手間がかかる。
【０００３】
従来より、この種の汚れを除去するものとしては、ヘラ状のスクレーパーが知られており、ブラシと併用することにより清掃していた。しかしながらスクレーパーとブラシとが別体であると使い勝手が悪く、一方を紛失したりすることが多々見られる。そこで、両者を一体にする工夫も試みられた。例えば、以下の文献の如きである。
【特許文献１】実開平３−１１４７９号公報
【特許文献２】実用新案登録第２５３７５２６号公報
【発明の開示】
【発明が解決しようとする課題】
【０００４】
処がこれ等の従来技術は、機械装置の一部であり、特に電子レンジの内部のような狭い隅部分を清掃するのには不適である。
【０００５】
よって本発明は、この従来の不満点を解消し要求に応えるべく発明されたブラシであって、スクレーパーとブラシとを一体に構成し、しかも狭い部分を確実に清掃できるようにすることを目的とする。
【課題を解決するための手段】
【０００６】
上記課題を解決するため本発明のブラシは、プレートの端部の一部を肉薄にして刃部とすると共に、プレートの他の一端面にブラシ毛を植設した構成である。
【０００７】
この場合、刃部の刃先を、直線と湾曲線の連続した形態とし、或いはブラシ毛群の側端部を、徐々に毛脚の短い形態とする。
【０００８】
また、プレートの一部に永久磁石を付設し、更にプレートを、塵取りを兼用する薄皿形状のカバー体に嵌め込むことを特徴とする。
【発明の効果】
【０００９】
本発明のブラシは上述したような構成であるので、刃部で焼け焦げた汚れを削って掻き取ることができ、ブラシ毛でそのまま掃き清掃することができる。この場合、刃部の刃先は直線と湾曲線の連続した形態となっているので、例えば電子レンジ内部の直線となった隅部を刃先の直線部分に対応させて削り、曲線部分を刃先の湾曲線部分に対応させて容易に削ることができる。そして同様に、ブラシ毛群の先端が直線的に連続する部分で電子レンジ内部の直線となった隅部を掃き、曲線部分をブラシ毛群の側端部の徐々に毛脚の短くなった部分で円滑に掃くことができる。
【００１０】
また、不使用時には、プレートの一部の永久磁石を冷蔵庫等の金属部分に磁着させておけば、削る部分と掃く部分とを一体にしたこのプレートを紛失することなく、必要に応じて直ちに使用に供することができる。
【００１１】
更には、不使用時には、プレートをカバー体に嵌め込んでおけば外観体裁も良く、しかも電子レンジ内の狭い部分で掃き寄せた削り屑は、カバー体が塵取りとなって容易に掃き集めることが可能になる等、本発明は多くの優れた作用効果を奏する。
【発明を実施するための最良の形態】
【００１２】
本発明のブラシ１は、概略四角板形状のプレート２の比較的肉厚となった後端面にブラシ毛３を植設し、前端部を徐々に肉薄にして先端を刃部４とした基本形状であり、ブラシ毛３群は、所定同一長さの毛脚で先端を直線に切り揃えてブラシ直線端５としているものの、ブラシ毛３群の一方の側端部では徐々に毛脚を短くして先端を曲線に切り揃えたブラシ曲線端６としている。
【００１３】
また刃部４は、刃先を、刃先直線端７と一方の側端で湾曲する刃先湾曲端８の連続した形態とし、意匠的な均衡から、この刃部４の刃先湾曲端８と前記したブラシ毛３群のブラシ曲線端６とは、プレート２の中心を原点とするほぼ対称の位置に配置している。
【００１４】
プレート２の両面には、刃部４で汚れを削ったりブラシ毛３で掃く際に指を掛けるための窪み９が設けられ、更に一方面には冷蔵庫等の金属面に磁着する永久磁石１０が露出する形態で埋設される。
【実施例１】
【００１５】
上述した構成の本発明のブラシ１は、不使用時にはカバー体１１に嵌め込んでおく。カバー体１１は、天板１２の両側に側板１３を連設した略薄皿形状で前後端及び底面が開放されており、側板１３の内面に於ける前端部近傍には長さ方向に沿って係合溝１４が刻設され、この係合溝１４の後端寄り近傍には係止片１５が突設されている。
【００１６】
一方、前記したプレート２の両側面前端部には、上記したカバー体１１の係合溝１４に係合する係合条１６が突設されており、カバー体１１にブラシ１を嵌め込むと、この係合溝１４と係合条１６とが係合し、プレート２の後端面が係止片１５に係止して、この嵌め込み状態が安定して維持される。
【００１７】
また、永久磁石１０が露出するようにブラシ１をカバー体１１に嵌め込めば、カバー体１１と共に冷蔵庫等の金属面に磁着させることができるだけでなく、カバー体１１でブラシ１を天板１２部分で被覆することになるので、外観体裁の良いものになる。
【００１８】
尚、ブラシ１とカバー体１１とは、相対的に前後方向にスライドさせれば、簡単に着脱が容易に達成できる。
【図面の簡単な説明】
【００１９】
【図１】本発明のブラシとカバー体の斜視図である。
【図２】ブラシとカバー体の組み付けた状態の斜視図である。
【図３】ブラシとカバー体の組み付けた状態の断面図である。
【符号の説明】
【００２０】
１    ブラシ
２    プレート
３    ブラシ毛
４    刃部
５    ブラシ直線端
６    ブラシ曲線端
７    刃先直線端
８    刃先湾曲端
９    窪み
１０  永久磁石
１１  カバー体
１２  天板
１３  側板
１４  係合溝
１５  係止片
１６  係合条
【図１】
2007038180.tif 000003
【図２】
2007038180.tif 000004
【図３】
2007038180.tif 000005
(57)【要約】【課題】  従来のハニカム形状の触媒担体構造においては、気流通路は直線状な並行路であって、通過気流の触媒物質に対する通過流速の均等化、拡散混合による接触効果の増大及び、異なった触媒の混成担時等は解決されていない。【解決手段】  気流の流れ方向に角度を持って成型した、波板形状触媒担体を、角度を交互に積層構造とすることにより、通過気流が拡散混合を行ないながら広く触媒面に接触し、又気流の移動により流速分布の均等化が得られる、上記波板形状担体に異なる材料の使用、異なる触媒物質の担時、等を積層構成することにより触媒の利用の選択範囲の拡大も得られることができる。【選択図】  図４
2007038194.tif 000002
【特許請求の範囲】
【請求項１】
触媒担体材料の金属、セラミック、繊維、樹脂、等を、波板形状に成型されたものであって、波型の成型時において、波型の通過気流の流れ方向を、ある角度を持って成形することを特徴とする触媒担体構造である。
【請求項２】
請求項１の形状を持った、触媒担体の複数枚を、波型角度の方向を交互に変更して積み重ね、積層構造とし、これによりハニカム構造が得られることを特徴とする触媒担体構造である。
【請求項３】
請求項１の触媒担体構造に、それぞれ異なる触媒物質を担持させ、組み合わせの構成を変えて積層構造とし、担持触媒による種々の気流処理の範囲選択を、広げることを可能とする、触媒担体構造。
【発明の詳細な説明】
【技術分野】
【０００１】    本発明は波板形状に成型された触媒担体の積層構造に関するものである。
【背景技術】
【０００２】    従来の触媒担体ハニカム構造においては、波板形状材と平板との積層構造のものがあり（例えば、特許文献１参照。）。
また波板形状材を平板帯とともに渦巻き状に巻回することにより、多数の長手方向に気流通路を成型してハニカム構造を得ている。（例えば特許文献２参照。）。
【特許文献１】    特開平１０−２４４１６８
【特許文献２】    特開平６−３４１３１５
【発明の開示】
【発明が解決しようとする課題】
【０００３】    以上に述べた、ハニカム触媒担体構造では、気流の流れ方向は平行であり、触媒担体内での気流の拡散、混合、は少なく、気流と触媒物質との接触性の向上を、はかることは困難である。【０００４】    触媒構造体にて、気流の導入通路形状により気流の偏向が生じた場合、流路が片寄った気流状態になり触媒の効率、寿命にも影響が大である。【０００５】    上記ハニカム構造における触媒物質の担持は、選択された触媒材料のみで、異種混合の構成は困難である。
【課題を解決するための手段】
【０００６】    本発明は、上記目的を達成するために考案された触媒担体構造であり、触媒担体材料である、金属、セラミック、繊維、樹脂、を波板形状に成型されたものである、波板の成型時において、波型の通過気流の流れ方向を、ある角度を持って成型させる。【０００７】    成型された担体材の複数枚を、波型角度の方向を交互に変更して積み重ね積層構造とする。【０００８】    角度のついた波板を、交互に積層状とすることにより、触媒担体内の通過気流は、対向する波型内を拡散、混合作用を行ないながら広く接触面に接触する流路を形成するものである。【０００９】    これにより気流の触媒担体内における流速分布の均等化を得られることができる。【００１０】    上記の成型された担体材に、それぞれ異なる触媒物質を担持させ、組み合わせの構成を変えて積層構造とすることにより、触媒による気流処理の選択範囲をより広く利用することが可能である。
【発明の効果】
【００１１】    上述したように、触媒担体の構成が角度を附した波板形状であり、同一波板の表面裏面を交互に積層することで触媒担体構造となる、これにより製作における材料、寸法による制約もすくなく、触媒担体構造物を安価に提供することができる。【００１２】成型された触媒担体に異なる材料の組み合わせ、相乗効果の期待されうる触媒物質の組合わせ担持などにより、触媒の処理範囲の選択を広げることも可能である。
【発明の実施するための最良の形態】
【００１３】    以下本発明の実施の形態を図１〜図４にもとずいて説明する。
【００１４】    図２、図３、は触媒担時体材料を、波板形状に角度をつけて成型した、単体を示すものである。
【００１５】    成型された単体の複数枚を図４に示すごとく、波型角度の方向を交互に変更して積み重ね、図１のハニカム状の積層構造とする。
【００１６】    図１は製作例の１つで、外装容器の表示は省いてある。
【図面の簡単な説明】
【００１７】
【図１】本発明の実施形態を示す触媒担体構造図
【図２】波板形状に成型された単体図
【図３】角度違いに成型された単体図
【図４】積層組立て立体図
【図１】
2007038194.tif 000003
【図２】
2007038194.tif 000004
【図３】
2007038194.tif 000005
【図４】
2007038194.tif 000006
(57)【要約】      （修正有）【課題】  回転する面板上を、摺動する加工工具、或いは取り付け具を搭載した移動台に与えられた送り力、或いは締付力が、遠心力により減少するのを防ぐと共に、回転数及び移動台重心が、回転中心より変化しても連続的に遠心力に対抗する力を発生させる。【解決手段】  回転する面板３上を摺動する加工工具、或いは取り付け具を搭載した移動台にシリンダ８を取り付け、移動台重量と移動台重心から回転中心までの距離と面板回転数を助変数として、時間と共に変化する遠心力を算出し、発生する遠心力に対抗するバランスシリンダに依る力を、比例電磁力リリーフ付き減圧弁１２で、連続的に圧力指示を電圧或いは電流を制御することで、遠心力に対抗する力を発生させる。【選択図】図４
2007038390.tif 000002
【特許請求の範囲】
【請求項１】
回転させる面板上に、加工工具、或いは取付具を搭載し、摺動する移動台を備えた装置において、回転により発生した遠心力で、回転中心方向に作用させる加工力、或いは締付力が減少する。この状態を解消する為に、変化する移動台重心から回転中心までの距離と、変化する面板回転数に依って、発生した変動する遠心力に、対向する力を連続的に作用させる装置である。
【発明の詳細な説明】
【発明の詳細な説明】
【技術分野】
【０００１】  本発明は、回転する面板装置に関し、面板上を求心方向や、遠心方向に摺動する加工工具、或いは取付具を搭載した移動台に関する回転装置に関する。
【背景技術】
【０００２】  従来では、遠心力に対抗する為に、予め送り装置、或いは取付具装置の容量を大きくして、遠心力に対抗した残りの力で、送り力或いは締付力としていた。
【発明が解決しようとする課題】
【０００３】１．面板中心に、移動台が回転している状態で、求心方向で加工或いは締付する時に、遠心力の為に、加工力或いは締付力が減少し、残りの力しか用いられなくなる。
それを防ぐ為に、遠心力に対抗する力を別に、シリンダー装置を取付け送り力、或いは締付力の低下を防ぐ。
２．移動体重量がわかっていて、移動台重心と回転中心までの距離、及び面板の回転数が変化し、遠心力が増減しても、連続的に遠心力に対抗する力を作用させる。
【課題を解決するための手段】
【０００４】  目的を達成すべく、本発明は、問題を解決する手段として、次の構成をとる。回転する主軸端面に、取り付けられた面板上を、加工工具或いは、取付具を搭載した移動台が、求心方向或いは遠心方向に、摺動する装置において、遠心方向にシリンダを配置し、遠心力と対抗できる力を発生させる為、シリンダ内に、連続的に圧力を持った流体を送り、遠心力が移動台の送り力、或いは取付具の締付力の減少を、防ぐ力を発生させる。
この状況の例として、回転している主軸１の端面に取り付けられた面板３上を送り伝達軸２によって駆動された歯車、４、５、６、小歯車７によって、ラック付き移動台８が、求心方向、遠心方向に摺動する時、変化しながら遠心力が発生する。
その時に、面板３に固定されたピストン１０に、油圧ポンプ１４から供給された、油圧を変動する遠心力Ｆに対抗する力を、連続的に変化する圧力Ｐを得る為に、比例電磁式リリーフ付き減圧弁を制御した油圧を、回転継ぎ手１１からピストン１０通りシリンダを内蔵した移動台８に加圧して、遠心力に対抗する力を発生させる。
又、遠心力は、面板回転数Ｎと、面板回転中心から移動台の重心までの距離Ｌとの関係で変化する為、以下の計算式によって、連続的に比例電磁式リリーフ付き減圧弁１２の制御電圧１９を制御する。
制御圧力Ｐｋｇｆ／ｃｍ２は遠心力Ｆｋｇｆ、移動台重量Ｗｋｇｆ，面板回転中心から移動台重心までの距離Ｌｃｍ、角速度ωｒａｄ／ｓｅｃ、重力ｇ＝９８０ｃｍ／ｓｅｃ２、シリンダ面積Ａｃｍ２として
遠心力Ｆ＝Ｗ・Ｌ・ω２／ｇ，Ｐ＝Ｆ／Ａとして
制御圧力Ｐｋｇｆ／ｃｍ２として求める事ができる。
移動台の位置や、面板の回転数が、時間的に変化する場合、上記の式で制御電圧、或いは制御電流を指示することで、制御圧力Ｐを常に変化させて、遠心力と対抗する力を発生させる。
【発明を実施するための最良の形態】
【０００５】  遠心及び求心方向に、摺動する工具を搭載した移動台を回転すると、遠心力が発生する。遠心力をバランスシリンダで受けるので、本来の送り力或いは取付力が、遠心力の影響を受けず十分使用でき、加工力として使用した場合、安定した加工力と加速度が得ることができ、良好な加工形状と表面粗度を得ることができる。
送り装置等に遠心力が作用しないので、強度が剛性が向上し装置寿命も延びる。
【発明の効果】
【０００６】  本発明は、以上の説明をした様な構造により、遠心力の影響を、送り装置或いは取付具から排除することで、次の様な効果を得ることが出来る。
１．送り力或いは、取付力が回転数や取付位置の遠心力の影響がなくなり、剛性も増し、加工力、加工精度が向上する。
２．加工力が、遠心力によって減ることがなく、加工条件の向上が計れ、生産性を上げることができる。
３．遠心力に対するバランスシリンダ力に依り、送り装置や工具の大型化が可能になり、加工製品の大型化と、新分野の製品にも、応用できる様に成る。
４．送り装置においてサーボ制御等での加速力、送り力の無駄がなくなり、装置容量を小さくできる。
５．装置容量が小さくできることで、関係部材等を小さくでき、機械価格を下げることが出来る。
６．遠心力に対抗する装置が、高価なものから安価な装置で済み、機械価格を下げることができる。
７．遠心力の無駄な力の影響がなくなり装置の寿命が延びる。
【図面の簡単な説明】
【０００７】
【図１】  面板内移動台送り装置における、バランスシリンダの断面上面図
【図２】  面板内移動台送り装置における正面図
【図３】  面板内移動台送り装置における送り装置断面側面展開図
【図４】  遠心力対抗用油圧回路系統図
【符号の説明】
１．主軸
２．送り用伝達軸
３．面板
４．太陽歯車
５．中間歯車ａ
６．中間歯車ｂ
７．小歯車
８．移動台（シリンダ）
９．移動台用押え板
１０．ピストン（遠心力対抗用）
１１．回転継ぎ手
１２．比例電磁式リリーフ付き減圧弁
１３．リリーフ弁
１４．油圧ポンプ
１５．フィルター
１６．電動機
１７．タンク
１８．圧力計
１９．Ｗ，Ｌ，Ｎによって発生した遠心力に対抗する力を、シリンダ圧力指示する制御電圧、或いは制御電流（アンプが付いていない場合）
ＣＷ．時計回り回転
ＣＣＷ．反時計回り回転
Ｗ．移動台重量：ｋｇｆ
Ｎ．面板の毎分回転数：ｒｐｍ
Ｌ．面板回転中心から移動台重心までの距離：ｃｍ
Ｄ．シリンダ径：ｃｍ
ｇ．重力：９８０ｃｍ／ｓｅｃ２
π．円周率：３．１４１５９
Ｐ．制御圧力：ｋｇｆ／ｃｍ２
Ｆ．遠心力：ｋｇｆ
ω．角速度：ω＝２π・Ｎ／６０：ｒａｄ／ｓｅｃ
Ａ．シリンダ面積：Ａ＝π・Ｄ２／４：ｃｍ２
【図１】
2007038390.tif 000003
【図２】
2007038390.tif 000004
【図３】
2007038390.tif 000005
【図４】
2007038390.tif 000006
(57)【要約】【課題】低い方向からの太陽光や対向車のヘッドライトの眩しさを解消する。【解決手段】低い方向からの太陽光や対向車のヘッドライトに対して、遮光板２を下へ移動させることによって、遮光板２がサングラスを使用したのと同じ効果が有るので、眩しさを解消することが可能である。【選択図】  図１
2007038994.tif 000002
【特許請求の範囲】
【請求項１】
補助遮光板付きサンバイザー。
【請求項２】
補助遮光板を上下方向へ出し入れ可能に取り付けた自動車用サンバイザー。
【発明の詳細な説明】
【技術分野】
【０００１】本発明は、自動車等運転時、太陽光や対向車のヘッドライトに依る眩しさを解消するサンバイザーに関するものである。
【背景技術】
【０００２】自動車には、サンバイザーが取り付けてあるので、上方向からの太陽光等に対しては問題ないが、正面方向からの太陽光や、対向車のヘッドライトなどに対しては効果がないので、サングラスを使用するしか対策は無かった。
【発明が解決しようとする課題】
【０００３】本発明は、正面方向からの太陽光等や、対向車のヘッドライトに対して効果がある自動車用サンバイザーを提供することを課題とする。
【課題を解決しようとする手段】
【０００４】本発明が上記課題を解決するために提供する自動車用サンバイザーは、上下方向へ出し入れ可能な補助遮光板を供えた自動車用サンバイザーである。
【発明の効果】
【０００５】本発明のサンバイザーは正面方向からの太陽光等や対向車のヘッドライトの眩しさを防ぐことが出来る。このため運転時の眼の疲労が無く安全運転に不可欠である。
【発明を実施するための最良の形態】
【０００６】本発明の実施について説明する。
（イ）図１は、本装置の正面図であり、サンバイザー１にスモークで半透視のカラーアクリル板よりなる遮光板２を、サンバイザー１に、上下に移動可能な様な構造で内蔵する。又、遮光板２を上下に移動させる為の取手４、遮光板２の脱落防止用のストッパー３より構成する。
（ロ）図２は、本装置の底面図で、その構造を示す。サンバイザー１の内部に遮光板２を出し入れ可能な構造で取り付ける。遮光板２を出し入れする為の取手４と遮光板２のストッパー３より構成する。
【実施例】
【０００７】以下、本発明の実施例について説明する。図１は補助遮光板２を引き出した状態図で、自動車運転中、正面方向からの太陽光や対向車のヘッドライトの光が眩しい場合、常時は、サンバイザー１に内蔵してある、補助の遮光板２を取手４にて、下方向に引き出すことにより、サングラスを使用したのと同様に眩しさを防ぐことが可能である。【０００８】又、遮光板２が、不必要な場合は、取手４に依り、サンバイザー１内部に収納すると、通常のサンバイザーと外観上も殆んど変わることはない。
【図面の簡単な説明】
【図１】本発明の構造を示した正面図。
【図２】本発明の構造を示した底面図。
【符号の説明】
１  サンバイザー
２  遮光板
３  ストッパー
４  取手
【図１】
2007038994.tif 000003
【図２】
2007038994.tif 000004
(57)【要約】      （修正有）【課題】夜間左折、右折の時、又は急カーブで車両のヘッドライトが遅れるデザイン的に現在の外側に付いているのは新鮮みがない。【解決手段】ヘッドライトを車両の中央に取り付ける事によりハンドル、方向指示器と同時に、照明が連動することに依り、照明範囲が広がり、夜間の安全性がたもてます。【選択図】図２
2007038997.tif 000002
【特許請求の範囲】
【請求項１】
従来の源動機付自動車（バス、トラック等凡ての車両は、照明器具（ヘッド、ライト）が、凡て車両の外側（左、右）に、取り付けられております。
その為に左折、右折の時照明が遅れる。
本発明は、すべての車両のヘットライトを車両中央に取り付ける事です。こうする事に依り左折、右折の時、ハンドル、方向指示器、前輪と同時に、連動、稼動するので、照射範囲を広く、早く出来ます。
【請求項２】
ヘッドライト（照明器具）の凡ての形状、色彩に付いての特許請求です。
【発明の詳細な説明】
【技術分野】本発明は、すべての自動車のヘッドライト（照明器具）を車両の中央に移動、取り付けに依り、左折、右折時に、方向指示器、ハンドル、前輪と同時に、連動、稼動することに依り照射範囲を早くすることが出来ます。
デザイン的にも、真新しく良いと思います。
【図１】
2007038997.tif 000003
【図２】
2007038997.tif 000004
【手続補正書】
【提出日】平成17年10月26日(2005.10.26)
【手続補正１】
【補正対象書類名】明細書
【補正対象項目名】全文
【補正方法】変更
【補正の内容】
【発明の詳細な説明】
【技術分野】
【０００１】本発明は、すべての自動車のヘッドライト（照明器具）を車両の中央に移動、取り付けに依り、左折、右折時に、方向指示器、ハンドル、前輪と同時に、連動、稼動することに依り照射範囲を早くすることが出来ます。
デザイン的にも、真新しく良いと思います。【０００２】原動機付自動車（バス、トラック等含む）の前面照明機具（ヘッドライト）現在の両側の位置を前面中央に取り付けます。
自動車の前面中央に取り付け、車両が左折、右折すると同時にヘッドライトの中の電球が前輪、ハンドルと連結して同じく動くようにする。
自動車の中央に取り付けたヘッドライトの電球が左折、右折の時、前輪、ハンドルと同時に動くようにします。
原動機付自動車（バス、トラック等含む）の前面照明機具（ヘッドライト）現在の両側の位置を前面中央に取り付けます。【０００３】原動機付自動車（バス、トラック等含む）の前面照明機具（ヘッドライト）現在の両サイドの位置を車両の中央に取り付けます。（Ｌ．Ｒ．Ｓシステム）
車両中央に付けた照明機具（ヘッドライト）は、車両が左折、右折の時、電球も前輪、ハンドルと同時に動くようにします。（Ｌ．Ｒ．Ｓシステム）【０００４】本発明は、原動機付自動車の前面照明機具（ヘッドライト）を現在の外側の物を車両中央に移動し、左折、右折時に電球が前輪、ハンドルと同時に連結し、稼動連動照射範囲を広く、早くすることです。
【図面の簡単な説明】
【０００５】
【図１】平面図。車両の前面にヘッドライトを取り付けることのより、照明が早く広く前方向を照らし、さらに美的印象も良くなります。
【図２】立体図。本発明はヘッドライトを中央に取り付け、両電球が前輪とハンドルと同時に左折、右折時に稼動することです。
【手続補正２】
【補正対象書類名】図面
【補正対象項目名】全図
【補正方法】変更
【補正の内容】
【図１】
2007038997.tif 000005
【図２】
2007038997.tif 000006